(57)【要約】【課題】底面同士の接触が少なく、薬の収納に便利で使い勝手が良い衛生的な単位与薬容器連結体、与薬管理具及び与薬カートを提供すること【解決手段】単位与薬容器１の複数ｘ個と、単位与薬容器１の複数ｘ個を横並びに連結する単位与薬容器ハンガー２を備え、単位与薬容器１は、背面板１１を有する上方開口の箱状物であって、背面板１１の上部の外側には、ハンガー２に係止する係止部１４を備え、ハンガー２は、単位与薬容器１の係止部１４が係止する帯状の連結本体２１と、連結本体２１の前方において左右方向を区画すると共に、連結本体２１から下方に延びる複数（ｘ＋１）個の脚部材２２ａ〜２２ｅと、を備え、単位与薬容器１は、隣接する２つの脚部材間に収納されるよう、ハンガー２に係止したものである単位与薬容器連結体１０。【選択図】図２
2020005746.tif 000002
【特許請求の範囲】
【請求項１】
与薬対象者に対して配薬される医薬品を収納する単位与薬容器の複数ｘ個と、
該単位与薬容器の複数ｘ個を横並びに連結する単位与薬容器ハンガーを備え、
該単位与薬容器は、背面板を有する上方開口の箱状物であって、該背面板の上部の外側には、該単位与薬容器ハンガーに係止する係止部を備え、
該単位与薬容器ハンガーは、該単位与薬容器の係止部が係止する帯状の連結本体と、該連結本体の前方において該連結本体の左右方向を区画すると共に、該連結本体から下方に延びる複数（ｘ＋１）個の脚部材と、を備え、
該単位与薬容器は、隣接する２つの脚部材間に収納されるよう、該単位与薬容器ハンガーに係止したものであることを特徴とする単位与薬容器連結体。
【請求項２】
該単位与薬容器が該単位与薬容器ハンガーに係止時、該単位与薬容器の底面と該脚部材の下端が略面一であるか、又は該単位与薬容器の底面が該脚部材の下端より上方であることを特徴とする請求項１記載の単位与薬容器連結体。
【請求項３】
該単位与薬容器と該単位与薬容器ハンガーは、該単位与薬容器ハンガーの帯状の連結本体に対して、該単位与薬容器の係止部を上から下に差し込むことで係止することを特徴とする請求項１又は２に記載の単位与薬容器連結体。
【請求項４】
複数（ｘ＋１）個の脚部材の中、両側の脚部材を除く、内側の脚部材は、該帯状の連結本体から前方へ突出する板状壁であることを特徴とする請求項１〜３のいずれか１項に記載の単位与薬容器連結体。
【請求項５】
該脚部材は５個であり、中央の脚部材には、側面視において、隣接する左右の単位与薬容器から前方へ突出する把持部が形成されていることを特徴とする請求項１〜４のいずれか１項に記載の単位与薬容器連結体。
【請求項６】
前方板、後方板、底板及び左右側板を備える上方開口の四角形容器であり、該前方板及び該後方板の内側には、左右方向を区切る縦仕切り板が係止する第１係止溝が多数形成され、該左右側板の内側には、前後方向を区切る横仕切り板が係止する第２係止溝が多数形成される収納与薬容器に、請求項１〜５のいずれか１項に記載された単位与薬容器連結体が、前後並びで複数ｙ個、収納されたことを特徴とする与薬管理具。
【請求項７】
請求項６記載の与薬管理具を上下多段で収納することを特徴とする与薬カート。
【請求項８】
該収納与薬容器の該左右側板のそれぞれの外側面には、該外側面から外側に突出し、且つ該前後方向に延びる、与薬カートの内側面に付設される第２レールにスライド自在に載る第１レール部が形成されていることを特徴とする請求項７に記載の与薬カート。
【請求項９】
該第１レール部の後部には、下方に突出する収納与薬容器の前方への転落を防止する第１突起が形成され、該第２レールの前部には  該第１突起と係止する上向きの第２突起が形成されていることを特徴とする請求項８に記載の与薬カート。
【請求項１０】
該収納与薬容器を引き出すことで、該第２突起に該第１突起が係止し、斜め傾斜姿勢に保持されることを特徴とする請求項９に記載の与薬カート。
【発明の詳細な説明】
【技術分野】
【０００１】
本発明は、薬の収納に便利で使い勝手が良く衛生的な単位与薬容器連結体、与薬管理具及び与薬カートに関するものである。
【背景技術】
【０００２】
入院患者等に配薬する道具として、患者毎、時間帯毎、日毎に個別に収納する収納与薬容器及びこれを収納する収納容器が知られている。例えば、特開２０１４−８３５０号公報には、複数の支持盤と、それらの支持盤を保持し得る支持盤保持体を備えてなり、前記各支持盤は、複数個の被支持物品を別々の水平方向位置に上向きに支持し得るものであって、前記複数個の被支持物品の支持盤に対する水平方向位置をそれぞれ位置決めする被支持物品位置決め部を有すると共に、上方突設の少なくとも１つの把手部を備え、前記支持盤保持体は、前記複数の支持盤を、水平方向に並べた状態で且つそれぞれ把手部を把持して上方に取り外すことが可能な状態で保持し得るものであり、支持盤保持体に対する各支持盤の水平方向位置をそれぞれ位置決めする水平方向位置決め部と、各支持盤を上向きに支持する上向き支持部を有することを特徴とする物品支持器具が開示されている。
【０００３】
この物品支持器具によれば、把手部を把持して支持盤を取り扱うことにより、個別に取り扱うことができる複数個の被支持物品を、一括して支持盤保持体に対し保持させることができると共に支持盤保持体から取り出すことができ、また、複数個の被支持物品を別々の水平方向位置に上向きに支持した支持盤を、複数水平方向に並べた状態で支持盤保持体により保持し得るので、被支持物品を効率良く確実に取り扱うことが可能であると共に、支持盤保持体に保持した支持盤に支持された被支持物品を効率的に確認することができる。
【０００４】
また、特許第５５６３６２１号公報には、与薬対象が、医薬品が配薬される患者または入所者であり、複数の与薬対象に対し配薬されるべき医薬品を小分けして収容し得る与薬管理具であって、複数の与薬対象には、１日分に相当する１周期内で、複数回の配薬時期に、医薬品が配薬される与薬対象が含まれ、１回の配薬時期に配薬される医薬品を収容し得る与薬単位容器であって、与薬対象を示す対象識別手段を着脱可能に設け得る与薬単位容器と、同一の与薬対象に対応する、１周期分の与薬単位容器を収容し得る周期単位容器であって、与薬単位容器を配薬時に抜き出し可能に収容する周期単位容器と、同一の与薬対象に対応する複数の周期単位容器を収容する対象単位容器とを有し、上記の対象単位容器が、複数の与薬対象に対応して準備され、与薬単位容器が、医薬品を配薬するときに、そのときに対応する医薬品が収容され、かつ、対象識別手段が設けられた状態で抜き出され、与薬単位容器が抜き出されることによって、医薬品が、与薬単位容器ごと取り出された状態で、与薬対象に対して配薬可能な状態とされる上記の与薬管理具が開示されている。
【０００５】
特許第５５６３６２１号公報の与薬管理具によれば、与薬単位容器が、周期ごとに周期単位容器に集約され、さらに、その周期単位容器が、所定の周期分を収容し得る対象単位容器に集約されるので、複数周期にわたる医薬品の小分けを集中して実施することができ、与薬対象ごとに配薬状況を簡単に確認することができ、さらに、配薬時に、配薬すべき医薬品を、与薬単位容器ごと、対象単位容器から抜き出して、管理、配薬できるようになり、配薬すべき医薬品の抜き出しや選別作業が非常に容易になり、配薬時の誤薬事故の発生を防止することができる。
【先行技術文献】
【特許文献】
【０００６】
【特許文献１】特開２０１４−８３５０号公報
【特許文献２】特許第５５６３６２１号公報
【発明の開示】
【発明が解決しようとする課題】
【０００７】
しかしながら、特許第５５６３６２１号公報の与薬管理具は、与薬管理具と、与薬管理具を収納する周期単位容器と、与薬管理具及び周期単位容器を収納する対象単位容器の３つの容器を有し、それぞれ３つの容器は底面を有する。この場合、底面同士の接触は、汚れなど気になる場所であり、清潔に保つための対策が必要となる。また、特開２０１４−８３５０号公報の物品支持器具は、容器状の被支持物品と、これを支持する支持盤と、被支持物品と支持盤を収納する支持盤保持体の３つを備えるものである。支持盤は容器ではないものの、底板を有するものであり、特許第５５６３６２１号公報の与薬管理具と同様、底面同士の接触が２か所、存在することになり、同様に、清潔に保つための対策が必要となる。また、被支持物品と支持盤の底面には、突起が形成されており、汚れを落とす作業も厄介である。従って、患者や配薬周期の異なる３つの容器において、底面同士の接触が少なく、底面には突起がなく、薬の収納に便利で使い勝手が良い収納与薬容器の開発が望まれていた。
【０００８】
従って、本発明の目的は、従来の単位与薬容器を含む患者や配薬周期の異なる３つの容器または支持具において、底面同士の接触が少なく、薬の収納に便利で使い勝手が良い衛生的な単位与薬容器連結体、与薬管理具及び与薬カートを提供することにある。
【課題を解決するための手段】
【０００９】
すなわち、本発明は上記従来の課題を解決するものであって、
与薬対象者に対して配薬される医薬品を収納する単位与薬容器の複数ｘ個と、
該単位与薬容器の複数ｘ個を横並びに連結する単位与薬容器ハンガーを備え、
該単位与薬容器は、背面板を有する上方開口の箱状物であって、該背面板の上部の外側には、該単位与薬容器ハンガーに係止する係止部を備え、
該単位与薬容器ハンガーは、該単位与薬容器の係止部が係止する帯状の連結本体と、該連結本体の前方において該連結本体の左右方向を区画すると共に、該連結本体から下方に延びる複数（ｘ＋１）個の脚部材と、を備え、
該単位与薬容器は、隣接する２つの脚部材間に収納されるよう、該単位与薬容器ハンガーに係止したものであることを特徴とする単位与薬容器連結体を提供するものである。
【００１０】
また、本発明は、該単位与薬容器が該単位与薬容器ハンガーに係止時、該単位与薬容器の底面と該脚部材の下端が略面一であるか、又は該単位与薬容器の底面が該脚部材の下端より上方であることを特徴とする前記単位与薬容器連結体を提供するものである。
【００１１】
また、本発明は、該単位与薬容器と該単位与薬容器ハンガーは、該単位与薬容器ハンガーの帯状の連結本体に対して、該単位与薬容器の係止部を上から下に差し込むことで係止することを特徴とする前記単位与薬容器連結体を提供するものである。
【００１２】
また、本発明は、複数（ｘ＋１）個の脚部材の中、両側の脚部材を除く、内側の脚部材は、該帯状の連結本体から前方へ突出する板状壁であることを特徴とする前記単位与薬容器連結体を提供するものである。
【００１３】
また、本発明は、該脚部材は５個であり、中央の脚部材には、側面視において、隣接する左右の単位与薬容器から前方へ突出する把持部が形成されていることを特徴とする前記単位与薬容器連結体を提供するものである。
【００１４】
また、本発明は、前方板、後方板、底板及び左右側板を備える上方開口の四角形容器であり、該前方板及び該後方板の内側には、左右方向を区切る縦仕切り板が係止する第１係止溝が多数形成され、該左右側板の内側には、前後方向を区切る横仕切り板が係止する第２係止溝が多数形成される収納与薬容器に、前記単位与薬容器連結体が、前後並びで複数ｙ個、収納されたことを特徴とする与薬管理具を提供するものである。
【００１５】
また、本発明は、前記与薬管理具を上下多段で収納することを特徴とする与薬カートを提供するものである。
【００１６】
また、本発明は、該該収納与薬容器の該左右側板のそれぞれの外側面には、該外側面から外側に突出し、且つ該前後方向に延びる、与薬カートの内側面に付設される第２レールにスライド自在に載る第１レール部が形成されていることを特徴とする前記与薬カートを提供するものである。
【００１７】
また、本発明は、該第１レール部の後部には、下方に突出する収納与薬容器の前方への転落を防止する第１突起が形成され、該第２レールの前部には  該第１突起と係止する上向きの第２突起が形成されていることを特徴とする前記与薬カートを提供するものである。
【００１８】
また、本発明は、該収納与薬容器を引き出すことで、該第２突起に該第１突起が係止し、斜め傾斜姿勢に保持されることを特徴とする前記与薬カートを提供するものである。
【発明の効果】
【００１９】
本発明によれば、複数の単位与薬容器を支持するものとして、帯状の連結本体を有する単位与薬容器ハンガーを使用したため、従来のものに比して、底面同士の接触を一つ減らせる。このため、衛生的で、薬の収納に便利で使い勝手が良い単位与薬容器連結体、与薬管理具及び与薬カートを提供できる。また、本発明によれば、前面が無い単位与薬容器ハンガーを使用したため、単位容器連結体を複数収納する際、収納与薬容器の奥行き寸法を小さく抑えることができる。
【図面の簡単な説明】
【００２０】
【図１】本発明の実施の形態における単位与薬容器連結体の斜視図である。
【図２】図１において単位与薬容器ハンガーに単位与薬容器が係止する方法を説明する図である。
【図３】図１の単位与薬容器連結体を構成する与薬単位容器の斜視図である。
【図４】図３の単位与薬容器の後ろから見た斜視図である。
【図５】図３の単位与薬容器の側面図である。
【図６】図１の単位与薬容器連結体を構成する単位与薬容器ハンガーの斜視図である。
【図７】図６の単位与薬容器ハンガーの後ろから見た斜視図である。
【図８】図６の単位与薬容器ハンガーの平面図である。
【図９】単位与薬容器ハンガーに１個の単位与薬容器を装着した背面図である。
【図１０】図９のＸ-Ｘ線に沿って見た図である。
【図１１】本発明の実施の形態における与薬管理具の斜視図である。
【図１２】図１１の与薬管理具の分解斜視図である。
【図１３】本発明の実施の形態における与薬カートの斜視図である。
【図１４】図１３の与薬カートの使用方法を説明する一部の断面図である。
【発明を実施するための形態】
【００２１】
次に、本発明の実施の形態における単位与薬容器連結体を図１〜図１０を参照して説明する。単位与薬容器連結体１０は、患者に対して配薬される朝、昼、夜及び寝る前の一日４回分の薬を入れたセットものである。そして、単位与薬容器は、患者の１回分の医薬品を収納するものである。従って、単位与薬容器の複数ｘ個は４個であるが、一日３回分の専用品であれば、ｘは３個であってもよい。
【００２２】
単位与薬容器連結体１０は、単位与薬容器１の複数ｘ個（ｘは３又は４）と、単位与薬容器１の複数ｘ個を横並びに連結する単位与薬容器ハンガー２を備える。単位与薬容器１は、正面板１２、背面板１１、左右側板１３、１３及び底板１５を有する上方開口の箱状物であって、背面板１１の上部の外側（正面から見て裏側）には、単位与薬容器ハンガー２に係止する係止部１４、１４を備える。単位与薬容器１は、正面板１２の高さを背面板１１の高さより低くして、薬が見え易く、取り易いようにしている。このため、左右側板１３、１３の前端は、背面板１１の上部から正面板１２の上部まで延びる傾斜状となっている。なお、底板１５の裏面には、係止用突起などがない平坦面となっている。
【００２３】
係止部１４、１４は、背面板１１の上部、本例では上縁に形成されている。すなわち、背面板１１の上端から後方に少し延び、それから下方に延びる下開口の逆Ｌ字断面の係止部である。これにより、単位与薬容器ハンガー２の帯状の連結本体２１の上縁に対して、単位与薬容器１を上から下に差し込むだけで係止することができる。なお、本発明において、係止部１４、１４は２つに限定されず、１個でもよく、また、形状も同じ断面形状で、幅（横長さ）の広いものであってもよい。
【００２４】
単位与薬容器１において、背面板１１の上部であって、係止部１４、１４間には、後方にやや突の板状形状を含む凸部１１１が形成されている。これにより、凸部１１１が、単位与薬容器ハンガー２の帯状の連結本体２１の凹部２１１に嵌るため、単位与薬容器１と単位与薬容器ハンガー２は、密着して装着できる。また、凸部１１１は、下方縁が切り欠かれ、可撓性の片部となっている。これにより、凸部１１１となることで正面側に形成される凹部は、患者名などの表示用紙を差し込みで装着できる。
【００２５】
単位与薬容器ハンガー２は、単位与薬容器１の係止部１４、１４が係止する帯状の連結本体２１と、連結本体２１の前方において連結本体２１の左右方向を区画すると共に、連結本体２１から下方に延びる複数（ｘ＋１）個（本例では５個）の脚部材２２ａ〜２２ｅと、を備える。連結本体２１の帯状高さは、単位与薬容器１の高さの１/２〜１/４、本例のように、１/３程度であれば、全体重量を抑えつつ、複数の単位与薬容器１を保持できる強度が得られる点で好ましい。脚部材２２ａ〜２２ｅは、帯状の連結本体２１から前方へ突出する板状壁であり、隣接する２つの脚部材で単位与薬容器１を収納すると共に、単位与薬容器連結体１０の自立性を付与している。なお、板状壁は、正面視及び図８の平面視において、厚みが見え、側面視において板状壁の側面が見える設置姿勢である。脚部材２２ａ〜２２ｅの中、両端の脚部材２２ａ、２２ｅの下部は、内側に僅かに屈曲されており、これにより、収納与薬容器３１Ａに収納し易くしている。また、脚部材２２ａ〜２２ｅは５個であり、中央の脚部材２２ｃには、側面視において、隣接する左右の単位与薬容器から前方へ突出する把持部２３が形成されている。把持部２３は、脚部材２２ａ、２２ｂ、２２ｄ、２２ｅが、前部の上部側が斜め傾斜に切り欠かれているのに対して、中央の脚部材２２ｃは、このような切り欠きのない略矩形状であり、前部の上部側が装着された単位与薬容器から前方へ突出する部分となり、これを把持部としている。
【００２６】
帯状の連結本体２１の脚部材２２ａ〜２２ｅが形成される上部には、単位与薬容器１が装着される帯状部の上端から上方に少し延びる板状の嵌合部２１２が形成されている。なお、両側の脚部材２２ａ、２２ｅの位置に形成される嵌合部２１２は、単位与薬容器１の一つの係止部１４が係止する長さ（ｌ2）であり、内側の脚部材２２ｂ〜２２ｄの位置に形成される嵌合部２１２は、隣接する２つの単位与薬容器１のそれぞれの係止部１４が係止する長さ（ｌ1）であり、（ｌ2）より大である。嵌合部２１２を単位与薬容器１が装着される帯状部の上端から上方に少し突出させることで、嵌合部２１２への単位与薬容器１の係止が容易となる。
【００２７】
帯状の連結本体２１の単位与薬容器１が収納される正面部には、単位与薬容器１の背面に形成された凸部１１１が嵌る凹部２１１が形成されている。これにより、帯状の連結本体２１と単位与薬容器１が密着して一体化できる。また、帯状の連結本体２１の中央の脚部材２２ｃが形成される上部には、嵌合部２１２より更に上方へ僅かに突出する曜日表示部２４が形成されている。一つの単位与薬容器連結体１０は、一人の患者の一日分であり、曜日シールを付すことで、確実な配薬をすることができる。
【００２８】
単位与薬容器連結体１０は、単位与薬容器ハンガー２に４つの単位与薬容器１が係止し連結保持されたものであり、単位与薬容器１の底面１５と脚部材２２ａ〜２２ｅの下端２２２は、略面一である（図９及び図１０参照）。すなわち、単位与薬容器連結体１０は、単位与薬容器１の底面１５と脚部材２２ａ〜２２ｅの下端２２２が、一体化した底面となり、自立性が高まり、収納与薬容器３１Ａに収納する際、安定して収納できる。脚部材２２ａ〜２２ｅの下端２２２は、板状体の短側端面であり、小面積である。このため、単位与薬容器連結体１０の実質的な底面は、４つの単位与薬容器１の底面であり、自立性が高く、単位与薬容器連結体１０を収納与薬容器３１Ａに収納した際、底面同士の接触は１か所で済み、収納与薬容器３１Ａ内において、前方へスライドし易く、且つ衛生的で取り扱いに便利である。
【００２９】
与薬管理具３０は、収納与薬容器３０Ａに、単位与薬容器連結体１０を、前後並びで複数ｙ個が、収納されたものである。与薬管理具３０は、一人の患者の７日間分又は８日間分を収納したものである。従って、複数ｙ個は、７又は８である。単位与薬容器連結体１０を、前後並びで複数ｙ個が、収納することで、手前から後方に向けて、順次使用することが明確となる。
【００３０】
収納与薬容器３０Ａは、図１１及び図１２に示すように、前方板３１、後方板３２、底板３４及び左右側板３３ａ、３３ｂを備える上方開口の浅底の四角形容器であり、前方板３１及び後方板３２の内側には、左右方向を区切る縦仕切り板８が係止する第１係止溝３５ａ、３５ａが多数形成され、左右側板３３ａ、３３ｂの内側には、前後方向を区切る横仕切り板７が係止する第２係止溝３５ｂ、３５ｂが多数形成されている。すなわち、収納与薬容器３０Ａは、単位与薬容器連結体１０の収納以外の、例えば薬箱などの収納にも使用できる。また、与薬管理具３０は、一人の患者の８日間分用であるものの、横仕切り板７を使用することで、７個の単位与薬容器連結体１０を隙間なく、密着して収納できる。
【００３１】
収納与薬容器３０Ａの左右側板３３ａ、３３ｂのそれぞれの外側面には、外側面から外側に突出し、且つ前後方向に延びる、与薬カート４０の内壁面に付設される第２レール４４ａ、４４ｂにスライド自在に載る第１レール部３６、３６が形成されている。すなわち、第１レール部３６、３６は、矩形断面で、長さ（奥行き長さ）が左右側板３３ａ、３３ｂの長さと略同じである鍔形状のものである。これにより、与薬カート４０の内側面に上下方向の多数、付設された鍔形状の第２レール４４ａ、４４ｂに前後方向にスライド自在に載ることができる。
【００３２】
収納与薬容器３０Ａにおいて、第１レール部３６、３６の後部には、下方に突出する収納与薬容器３０の前方への転落を防止する第１突起３６１が形成され、第１突起３６１より後方の後端には、載置される第２レール４４ａ、４４ｂの直上の第２レール４４ａ、４４ｂの裏面に当接する第３突起３６２を有する。
【００３３】
与薬カート４０は、患者分の与薬管理具３０を多段で収納する移動体である。与薬カート４０の左右側面の内側には、与薬管理具３０を前後方向に抜き差し自在に支持する第２レール４４ａ、４４ｂが形成されている。上下複数本の中、対峙する（同一面にある）左右一対の第２レール４４ａ、４４ｂは、一つの与薬管理具３０を支持すると共に、左右一対の第２レール４４ａ、４４ｂの直上の左右一対の第２レール４４ａ、４４ｂが、与薬管理具３０の前方への転落を防止している。すなわち、第２レール４４ａ、４４ｂの前端には、収納与薬容器３０Ａの第１突起３６１と係止する上向きの第２突起４４２ａ、４４２ｂが付設されている。また、隣接する上下の第２レール４４ａ、４４ｂ間の入口開口は、収納与薬容器３０Ａの第１レール部３６、３６が入る狭い空間でよい。これにより、与薬管理具３０を引き出すことで、第２突起４４２ａ、４４２ｂに第１突起３６１が係止し、第３突起３６２が、隣接する上方の第２レール４４ａ、４４ｂの裏面に当接するため、引き出しても、前方転落することなく、斜め傾斜姿勢が保持される。これにより、与薬管理具３０が視認し易く、取り出しやすい。与薬カート４０の下面には、キャスターが付設され、与薬カートを移動自在としている。
【００３４】
次に、単位与薬容器連結体１０、与薬管理具３０及び与薬カート４０を使用した配薬の準備について説明する。例えば、配薬される患者は１０人であり、配薬は、一日、朝、昼、夜及び寝る前の４回であり、７日間分の配薬の準備を行う。単位与薬容器１を２８０個、単位与薬容器ハンガー２を７０個、収納与薬容器３０Ａを１０個を準備する。患者Ａには、患者Ａ用の薬を２８回分、用意する。１回分の薬を単位与薬容器１に入れ、薬が入った単位与薬容器１の係止部１４を、単位与薬容器ハンガー２の嵌合部２１２に対して、上から下へ差し込みにより係止し、単位与薬容器連結体１０を形成する。これを７日間分準備し、収納与薬容器３０Ａ内に手前から前後方向に並べていく。曜日表示部２４には、１週間の曜日シールを貼付しておく。配薬初日が、水曜日であれば、手前から曜日表示部２４に「水曜日」又は「水」と表示された単位与薬容器連結体１０、その後ろには曜日表示部２４に「木曜日」又は「木」と表示された単位与薬容器連結体１０と曜日毎に、前後方向に順番に並べる。収納与薬容器３０Ａに７個の単位与薬容器連結体１０を並べ、必要なら仕切り板７、８で仕切り、患者Ａ用の１週間分の与薬管理具３０を作成する。次に、患者Ｂ用、患者Ｃ用と、順次、１０名の患者のそれぞれの薬の１週間分の与薬管理具３０を得る。患者１０名のそれぞれの名前の表示は、単位与薬容器１の背面板の前面に差し込まれた表示用紙で確認できる。１０名用の与薬管理具３０は、与薬カート４０に、多段に収納する。これで配薬の準備は完了する。
【００３５】
次に、患者に対して配薬する。例えば、配薬最初の朝食後、患者Ａのところまで、与薬カート４０を移動させる。与薬カート４０から患者Ａ用の与薬管理具３０を手前に引き出す。この際、与薬カート４０から引き出された与薬管理具３０は、前方傾斜姿勢で停止し、与薬管理具３０に配列された単位与薬容器連結体１０が視認できると共に、単位与薬容器１が取り出し易くなっている。必要であれば、与薬カート４０から１個の与薬管理具３０を引き抜き、単独でテーブルなどに置いてもよい。次いで、手前の単位与薬容器連結体１０の中、一番左の朝用の単位与薬容器１から薬を取り、患者に服用させる。空となった単位与薬容器１は、単位与薬容器連結体１０の元の位置に収納し、更に与薬カート４０に収納しておく。これを患者１０名に対して行う。単位与薬容器連結体１０から単位与薬容器１の出し入れは、抜き差しの作業のみであり、簡単で安全である。患者Ａに対して、一日の最後の配薬が終了すると、空となった４個の単位与薬容器を連結する単位与薬容器連結体１０を抜き取り、最後尾の単位与薬容器連結体１０の後ろに移動させる。これにより、当初前から２番目であった単位与薬容器連結体１０が前出しされ、一番前にくる。このような配薬行為を順次、１週間繰り返す。なお、単位与薬容器連結体１０の持ち上げ及び収納の際、把持部２３を持って行えばよい。
【００３６】
本発明において、上記実施の形態例に限定されず、種々の変形を採ることができる。例えば、単位与薬容器連結体１０において、単位与薬容器１の底面１５が脚部材２２ａ〜２２ｅの下端２２２より上方に位置していてもよい。単位与薬容器ハンガーは、それ自体、設置面に自立しており、且つ単位与薬容器ハンガーに対して単位与薬容器１を上から係止するため、作業性に問題はない。単位与薬容器ハンガー２の帯状の連結本体２１は、単位与薬容器１の背面側で且つ上部で連結できればよく、上記実施の形態例に限定されない。また、与薬容器連結体１０において、嵌合部２１２は省略でき、帯状の連結本体２１の上縁を嵌合部としてもよい。
【産業上の利用可能性】
【００３７】
従来の与薬管理具は、３つの容器を使用するか、あるいは２つの容器と底面を有する支持盤を使用しており、底面同士の接触はひとつの単位与薬容器において、２か所であった。このため、嵩張ると共に、衛生的に問題があるか、汚れが落とし難いものであった。これに対して、本発明によれば、複数の単位与薬容器を支持するものとして、帯状の連結本体を有する単位与薬容器ハンガーを使用したため、従来のものに比して、底面同士の接触を一つ減らせる。このため、衛生的で、薬の収納に便利で使い勝手が良いものとなった。
【符号の説明】
【００３８】
１  単位与薬容器
２  単位与薬容器ハンガー
１０  単位与薬容器連結体
１４  係止部
２１  帯状の連結本体
２２ａ〜２２ｅ  脚部材
２３  把持部
２４  曜日表示部
３０  与薬管理具
４０  与薬カート
２１２  嵌合部
３６１  第１突起
４４２ａ、４４２ｂ    第２突起
【図１】
2020005746.tif 000003
【図２】
2020005746.tif 000004
【図３】
2020005746.tif 000005
【図４】
2020005746.tif 000006
【図５】
2020005746.tif 000007
【図６】
2020005746.tif 000008
【図７】
2020005746.tif 000009
【図８】
2020005746.tif 000010
【図９】
2020005746.tif 000011
【図１０】
2020005746.tif 000012
【図１１】
2020005746.tif 000013
【図１２】
2020005746.tif 000014
【図１３】
2020005746.tif 000015
【図１４】
2020005746.tif 000016